(57)【要約】【課題】装置前面にチルト可能な操作パネルを備える構成において、装置内部への塵埃等の侵入を抑制するとともに、装置内部へのアクセス性の向上を図る。【解決手段】記録装置は、媒体に対して記録を行う記録手段と、前記記録手段を備える記録ユニットと、装置前面においてチルト可能に設けられ、チルトすることで第１姿勢と、前記第１姿勢より水平に近くなる第２姿勢と、の間で姿勢切り換えを行う操作パネルと、開閉可能であって、開くことにより少なくとも前記第１姿勢から水平方向にチルトした前記操作パネルの下側に前記記録ユニット周囲の空間を露呈させ、閉じることにより前記記録ユニット周囲の空間を塞ぐ開閉体とを備える。前記開閉体は、閉じた状態における下部に回動中心を有し、閉じた状態における上部を自由端として装置前方側に開く。前記開閉体は、水平よりも更に下方向に開く。【選択図】図２
2019181747.tif 000002
【特許請求の範囲】
【請求項１】
媒体に対して記録を行う記録手段と、
前記記録手段を備える記録ユニットと、
装置前面においてチルト可能に設けられ、チルトすることで第１姿勢と、前記第１姿勢より水平に近くなる第２姿勢と、の間で姿勢切り換えを行う操作パネルと、
単独で開閉可能であって、開くことにより少なくとも前記第１姿勢から水平方向にチルトした前記操作パネルの下側に前記記録ユニット周囲の空間を露呈させ、閉じることにより前記記録ユニット周囲の空間を塞ぐ開閉体と、
を備えた記録装置。
【請求項２】
請求項１に記載の記録装置において、前記開閉体は、閉じた状態における下部に回動中心を有し、閉じた状態における上部を自由端として装置前方側に開く構成である、
ことを特徴とする記録装置。
【請求項３】
請求項２に記載の記録装置において、前記開閉体は、水平よりも更に下方向に開く、
ことを特徴とする記録装置。
【請求項４】
請求項３に記載の記録装置において、前記開閉体の下側に、記録が行われて排出される媒体を受ける媒体受けトレイを備え、
前記開閉体は、開いた状態において、前記自由端が前記媒体受けトレイに支持される、
ことを特徴とする記録装置。
【請求項５】
請求項３に記載の記録装置において、前記開閉体の下側に、退避位置と、前記退避位置より装置前方側に突出した突出位置と、の間で変位可能であって、記録が行われて排出される媒体を受ける媒体受けトレイを備え、
前記開閉体は、開いた状態において、前記退避位置にある前記媒体受けトレイ、或いは装置前面に露呈するフレームに支持される、
ことを特徴とする記録装置。
【請求項６】
請求項４または請求項５に記載の記録装置において、前記開閉体が開いた状態において、当該開閉体は、前記媒体受けトレイに向けて排出される媒体の排出経路を塞ぐ、
ことを特徴とする記録装置。
【請求項７】
請求項２から請求項６のいずれか一項に記載の記録装置において、前記記録ユニットの上方に上部ユニットを備え、
閉じた状態における前記開閉体の前記自由端は、装置奥行き方向において前記上部ユニットと前記操作パネルとに挟まれた位置にある、
ことを特徴とする記録装置。
【請求項８】
請求項１から請求項７のいずれか一項に記載の記録装置において、前記開閉体を閉じた状態にロックするロック手段を備える、
ことを特徴とする記録装置。
【請求項９】
請求項１から請求項８のいずれか一項に記載の記録装置において、前記開閉体は、手掛け部を有する、
ことを特徴とする記録装置。
【発明の詳細な説明】
【技術分野】
【０００１】
本発明は、媒体に記録を行う記録装置に関する。
【背景技術】
【０００２】
ファクシミリやプリンター等に代表される記録装置においては、特許文献１に示される様に、チルト可能な操作パネルが装置前面に設けられる場合がある。装置前面に設けられた操作パネルがチルト可能であることで、ユーザーは、操作パネルを操作する際の操作性が向上する。
【先行技術文献】
【特許文献】
【０００３】
【特許文献１】特開２０１７−０３０３０５号公報
【発明の概要】
【発明が解決しようとする課題】
【０００４】
しかしながら、操作パネルは開いた状態で操作し易い姿勢となるため、長期間そのままの姿勢にされる虞がある。操作パネルが或る程度開いた状態のまま長期間放置されると、装置内部へ塵埃が侵入し易く、装置の機能が損なわれる虞がある。その反面、操作パネルの内側を固定壁で形成すると、装置前面側から紙ジャム処理を行う際に充分な作業領域が確保できない。
【０００５】
そこで本発明はこの様な状況に鑑み成されたものであり、装置前面にチルト可能な操作パネルを備える構成において、装置内部への塵埃等の侵入を抑制するとともに、装置内部へのアクセス性の向上を図ることにある。
【課題を解決するための手段】
【０００６】
上記課題を解決する為の、本発明の第１の態様に係る記録装置は、媒体に対して記録を行う記録手段と、前記記録手段を備える記録ユニットと、装置前面においてチルト可能に設けられ、チルトすることで第１姿勢と、前記第１姿勢より水平に近くなる第２姿勢と、の間で姿勢切り換えを行う操作パネルと、開閉可能であって、開くことにより少なくとも前記第１姿勢から水平方向にチルトした前記操作パネルの下側に前記記録ユニット周囲の空間を露呈させ、閉じることにより前記記録ユニット周囲の空間を塞ぐ開閉体と、を備えることを特徴とする。
【０００７】
本態様によれば、開閉動作可能であって、開くことにより少なくとも前記第１姿勢から水平方向にチルトした前記操作パネルの下側に前記記録ユニット周囲の空間を露呈させ、閉じることにより前記記録ユニット周囲の空間を塞ぐ開閉体を備えるので、前記開閉体を閉じることで装置内部への塵埃等の侵入を抑制でき、前記開閉体を開くことで装置内部へのアクセス性の向上を図ることができる。  
尚、前記開閉体が閉じた状態で前記記録ユニット周囲の空間を塞ぐとは、前記記録ユニット周囲の空間を完全に塞ぐ形態に限られず、前記開閉体が開いた状態に比べて前記記録ユニット周囲の空間への塵埃等の侵入を抑制できる程度の閉塞であれば足りる意味である。
【０００８】
本発明の第２の態様は、第１の態様において、前記開閉体は、閉じた状態における下部に回動中心を有し、閉じた状態における上部を自由端として装置前方側に開く構成であることを特徴とする。
【０００９】
本態様によれば、前記開閉体は、閉じた状態における下部に回動中心を有し、閉じた状態における上部を自由端として装置前方側に開く構成であるので、逆の構成、即ち閉じた状態における上部に回動中心を有し、閉じた状態における下部を自由端として装置前方側に開く構成に比べて、装置内部にアクセスする際に前記開閉体が邪魔になり難く、装置内部へのより容易なアクセスを実現できる。
【００１０】
本発明の第３の態様は、第２の態様において、前記開閉体は、水平よりも更に下方向に開くことを特徴とする。  
本態様によれば、前記開閉体は、水平よりも更に下方向に開くので、装置内部にアクセスする際に前記開閉体がより一層邪魔になり難く、装置内部へのより一層容易なアクセスを実現できる。
【００１１】
本発明の第４の態様は、第３の態様において、前記開閉体の下側に、記録が行われて排出される媒体を受ける媒体受けトレイを備え、前記開閉体は、開いた状態において、前記自由端が前記媒体受けトレイに支持されることを特徴とする。
【００１２】
本態様によれば、前記開閉体の下側に、記録が行われて排出される媒体を受ける媒体受けトレイを備え、前記開閉体は、開いた状態において、前記自由端が前記媒体受けトレイに支持されるので、開いた状態の前記開閉体に外力が作用した際に前記媒体受けトレイによって前記開閉体を支持することができ、前記開閉体の破損を抑制できる。
【００１３】
本発明の第５の態様は、第３の態様において、前記開閉体の下側に、退避位置と、前記退避位置より装置前方側に突出した突出位置と、の間で変位可能であって、記録が行われて排出される媒体を受ける媒体受けトレイを備え、前記開閉体は、開いた状態において、前記退避位置にある前記媒体受けトレイ、或いは装置前面に露呈するフレームに支持されることを特徴とする。
【００１４】
本態様によれば、前記開閉体は、開いた状態において、前記退避位置にある前記媒体受けトレイ、或いは装置前面に露呈するフレームに支持されるので、開いた状態の前記開閉体に外力が作用した際に前記媒体受けトレイ或いは前記フレームによって前記開閉体を支持することができ、前記開閉体の破損を抑制できる。
【００１５】
本発明の第６の態様は、第４のまたは第５の態様において、前記開閉体が開いた状態において、当該開閉体は、前記媒体受けトレイに向けて排出される媒体の排出経路を塞ぐことを特徴とする。  
本態様によれば、前記開閉体が開いた状態において、当該開閉体は、前記媒体受けトレイに向けて排出される媒体の排出経路を塞ぐので、前記開閉体が開いた状態をユーザーが気づき易く、前記開閉体が開いた状態のまま放置されることを抑制でき、装置内部への塵埃等の侵入を抑制できる。  
尚、前記開閉体が前記媒体排出経路を塞ぐとは、前記開閉体が前記媒体排出経路を完全に塞ぐ形態に限られず、完全に塞がなくとも前記開閉体が前記媒体排出経路に差し掛かり、排出される媒体に接触すれば良い意味である。
【００１６】
本発明の第７の態様は、第２から第６の態様のいずれかにおいて、前記記録ユニットの上方に上部ユニットを備え、閉じた状態における前記開閉体の前記自由端は、装置奥行き方向において前記上部ユニットと前記操作パネルとに挟まれた位置にあることを特徴とする。
【００１７】
本態様によれば、前記記録ユニットの上方に上部ユニットを備え、閉じた状態における前記開閉体の前記自由端は、装置奥行き方向において前記上部ユニットと前記操作パネルとに挟まれた位置にあるので、前記開閉体が意図せず開くことを防止できる。
【００１８】
本発明の第８の態様は、第１から第７の態様のいずれかにおいて、前記開閉体を閉じた状態にロックするロック手段を備えることを特徴とする。  
本態様によれば、前記開閉体を閉じた状態にロックするロック手段を備えるので、前記開閉体の閉じた状態が確実に保持される。
【００１９】
本発明の第９の態様は、第１から第８の態様のいずれかにおいて、前記開閉体は、手掛け部を有することを特徴とする。  
本態様によれば、前記開閉体は、手掛け部を有するので、前記開閉体を開閉する際の操作性が向上する。
【図面の簡単な説明】
【００２０】
【図１】本発明に係るプリンターにおいて、操作パネルを閉じ、カバーを閉じ、排紙トレイを収納した状態の斜視図。
【図２】本発明に係るプリンターにおいて、操作パネルを開き、カバーを閉じ、排紙トレイを収納した状態の斜視図。
【図３】本発明に係るプリンターにおいて、操作パネルを開き、カバーを開き、排紙トレイを引き出した状態の斜視図。
【図４】本発明に係るプリンターにおいて、操作パネルを開き、カバーを開き、排紙トレイを収納した状態の斜視図。
【図５】本発明に係るプリンターにおいて、操作パネルを閉じ、カバーを閉じ、排紙トレイを引き出した状態の側断面図。
【図６】本発明に係るプリンターにおいて、操作パネルを開き、カバーを閉じ、排紙トレイを引き出した状態の側断面図。
【図７】本発明に係るプリンターにおいて、カバーを開き、排紙トレイを引き出した状態の、カバー周辺の側断面図。
【図８】本発明に係るプリンターにおいて、カバーを開き、排紙トレイを収納した状態の、カバー周辺の側断面図。
【図９】本発明に係るプリンターにおいて、操作パネルを開き、カバーを閉じ、排紙トレイを収納した状態の正面図。
【図１０】本発明に係るプリンターにおいて、カバーを開き、排紙トレイを引き出した状態の、カバー先端（ロックピン）周辺の斜視図。
【図１１】本発明に係るプリンターにおいて、操作パネルを閉じ、カバーを閉じた状態の、カバー先端（ロックピン）周辺の側断面図。
【図１２】本発明に係るプリンターにおいて、自動原稿給送部の給紙トレイを持ち上げた状態の斜視図。
【図１３】本発明に係るプリンターにおいて、自動原稿給送部の給紙トレイと上面カバーとが係わる部位の側断面図。
【図１４】本発明に係るプリンターの、給紙口周辺の側断面図。
【図１５】本発明に係るプリンターの、給送ローラー周辺の側断面図。
【図１６】本発明に係るプリンターの、給送ローラー周辺の側断面図。
【発明を実施するための形態】
【００２１】
以下、本発明に係る記録装置の一実施形態について図面に基づき説明する。尚、以下では本発明に係る記録装置の一例として、インクジェットプリンター１（以下、単にプリンター１と称する）を例に挙げるが、媒体の一例である用紙に記録を行う方式はインクジェット方式に限られず、電子写真方式、ドットインパクト方式等、種々のものを採用可能であり、本発明はいずれのタイプにも適用可能である。  
またインクジェット方式では、記録ヘッドを備える記録ユニットとしてのキャリッジにインクカートリッジを搭載するタイプ、キャリッジ外にインク収容部を設けて当該インク収容部とキャリッジとをインクチューブで接続するタイプ等、種々の形態があり、本発明はいずれのタイプにも適用可能である。本実施形態に係るプリンター１は、キャリッジ外にインク収容部を設けて当該インク収容部とキャリッジとをインクチューブで接続するタイプである。  
また更にインクジェット方式では、記録ヘッドをキャリッジに搭載するとともにキャリッジが用紙搬送方向と交差する方向に移動するタイプと、記録ヘッドが用紙搬送方向と交差する方向の領域全体をカバーする大きさに形成されて移動しないタイプとがあり、本発明はいずれのタイプにも適用可能である。本実施形態に係るプリンター１は、キャリッジが移動するタイプである。
【００２２】
各図において示すＸ−Ｙ−Ｚ座標系はＸ軸方向が装置幅方向及び用紙幅方向であり、Ｙ軸方向が用紙に記録を行う際の用紙搬送方向及び装置奥行き方向であり、Ｚ軸方向が装置高さ方向及び重力方向を示している。尚、用紙が搬送されていく方向を「下流」と称し、その反対を「上流」と称する。また、＋Ｙ方向が装置前方側であり、−Ｙ方向が装置後方側である。
【００２３】
図１においてプリンター１は、用紙に記録を行う記録機能を有する装置本体２の上部に、上部ユニットとして、原稿を読み取る画像読取装置の一例であるスキャナー部５０を備えており、即ちプリンター１は所謂複合機として構成されている。  
スキャナー部５０は所謂フラットベッド型のスキャナーであるとともに、ＣＣＤ（Ｃｈａｒｇｅ  Ｃｏｕｐｌｅｄ  Ｄｅｖｉｃｅｓ）方式或いはＣＩＳ（Ｃｏｎｔａｃｔ  Ｉｍａｇｅ  Ｓｅｎｓｏｒ）方式の読取センサー５５（図５、図６）を有する読取ユニット５６（図５、図６）の上部に、複数枚の原稿を自動送りする自動原稿搬送部５１を備えている。  
符号５２は、自動原稿搬送部５１を構成する給紙トレイであり、この給紙トレイ５２にセットされた原稿が、不図示の給送手段によって読取位置へと送られる。符号５３は、読取が行われて排出される原稿を受ける排紙トレイである。符号５４は、原稿給送経路を開放するための上面カバーである。自動原稿搬送部５１は、それ自体が開閉可能に設けられており、開くことで図１では不図示の原稿台が表れる。
【００２４】
尚、給紙トレイ５２は自由端側（−Ｘ方向端部側）を図１２に示す様に持ち上げることができるように、先端側（＋Ｘ方向端部側）の不図示の軸を支点にして回転可能に設けられており、排紙トレイ５３に排出された原稿の取り出し性が確保されているが、給紙トレイ５２を回転させると、上面カバー５４と干渉し、上面カバー５４が意図せず開いてしまう虞がある。その為、図１３に示す様に上面カバー５４には当接部５４ａが形成され、給紙トレイ５２には突起５２ａが形成され、図１３の左の図から右の図への変化で示す様に給紙トレイ５２を回転させると当接部５４ａに突起５２ａが当接し、上面カバー５４を下方向に押し下げる様に構成されている。これにより、給紙トレイ５２を持ち上げた際に、意図せず上面カバー５４が開くことを回避することができる。
【００２５】
尚、本実施形態では、装置本体２の上部にスキャナー部５０を備えているが、スキャナー部５０を備えない構成、即ちスキャナー部５０に代えて天板を備える構成であっても良い。また、スキャナー部５０は自動原稿搬送部５１を備えているが、自動原稿搬送部５１を備えない構成、即ち自動原稿搬送部５１に代えて原稿台を開閉するカバーを設けても良い。
【００２６】
本実施形態において、スキャナー部５０の読取ユニット５６（図５、図６）は、装置後方側に設けられた不図示のヒンジを介して装置本体２に対して回動可能に設けられており、回動することで装置本体２の上方を露呈させることができるが、自由端側となる装置前方側が、不図示の固定手段（一例としてねじ）によって装置本体２に対して固定されている。即ち、スキャナー部５０はユーザー（装置の使用者）による操作によって回動させる設計ではなく、サービスマン（装置の修理やメンテナンスを行う者）によって回動させる設計となっている。
【００２７】
続いて、装置前面側には、操作パネル２７が設けられている。操作パネル２７は、複数の操作ボタン及び表示部を備えている。本実施形態において操作パネル２７は、プリンター１における記録動作及び画像読取動作を操作する為のユーザーインタフェースとして構成されている。  
操作パネル２７は、回転軸２７ａ（図１１）を中心に回動可能に、即ちチルト可能に設けられており、チルトすることで第１姿勢（図１）と、この第１姿勢より水平姿勢に近くなる第２姿勢（図２）と、の間で姿勢切り換え可能となっている。  
尚、以下では操作パネル２７の第１姿勢（図１）を全閉姿勢と言い換えることとし、第２姿勢（図２）を全開姿勢と言い換えることとする。本実施形態において、操作パネル２７は、全閉姿勢においてパネル面が垂直面に沿った状態となり、自由端２７ｂの下側に排出口８が形成される。また操作パネル２７は、全開姿勢においてパネル面が水平に沿った状態となる。  
尚、操作パネル２７は、不図示の姿勢保持手段により所定のチルト角で姿勢保持可能となっている。
【００２８】
続いて、装置本体２内部の構成について説明する。図５及び図６において、装置後方側には給紙口３２が設けられており、この給紙口３２から用紙を給紙可能に構成されている。図５において一点鎖線Ｔ１は、給紙口３２から給紙され、記録が行われる用紙の通過軌跡を示している。  
給紙口３２の内側には、図５及び図６では図示を省略する用紙給送手段が設けられている。用紙給送手段は、図１４に示す様に用紙を傾斜姿勢で支持するホッパー３４と、不図示のモーターにより駆動される給送ローラー３３と、を備えている。また、用紙給送手段は、図１５に示す様に給送ローラー３３との間で用紙をニップして分離する分離ローラー３８と、用紙先端を給送ローラー３３と分離ローラー３８とのニップ位置近傍から上流側に戻す戻しレバー３０と、を備えている。
【００２９】
図１５において符号３１は戻しレバー３０の回転軸であり、符号３９は分離ローラー３８を回転可能に支持するローラーホルダーである。ローラーホルダー３９は、回転軸３９ａを中心にして回転可能に設けられているとともに、ばね４０によって分離ローラー３８が給送ローラー３３に向かう方向に押圧されている。符号３９ｃは、ばね４０を掛けるばね掛け部である。  
ここで、ローラーホルダー３９は装置下側からアクセス可能となっており、不用意にローラーホルダー３９が下方向に引っ張られ、これによりばね４０が伸びきってしまったり、ばね掛け部３９ｃから外れてしまったりする虞がある。  
しかしながら、ローラーホルダー３９にはストッパー部３９ｂが設けられており、ローラーホルダー３９が回転軸３９ａを中心にして下方向に回転すると、図１５から図１６への変化に示す様にストッパー部３９ｂが、戻しレバー３０の回転軸３１に形成された凹部３１ａに食い込み、下方向への回転が規制される。これにより、ばね４０を保護することができる。
【００３０】
尚、ホッパー３４の上方には、図１４に示す様に板状部３５が設けられている。この板状部３５は、給紙口３２から回路基板３７を見えにくくする遮蔽板として機能する。ここで、板状部３５を設けると、バックフィードされる用紙の先端（記録時には後端となる端部）が板状部３５に引っ掛かる虞がある。その為、板状部３５にはリブ３６が併設されており、このリブ３６により、バックフィードされる用紙先端の、板状部３５への引っ掛かりが抑制される。
【００３１】
続いて、図５及び図６に戻り、給紙口３２から差し入れられて給送される用紙は、搬送ローラー対４１にニップされ、更に下流側に搬送される。搬送ローラー対４１の下流には、用紙を支持する用紙支持部４４と、用紙に液体の一例であるインクを吐出して記録を実行する記録手段の一例である記録ヘッド４３とが対向配置されている。記録ヘッド４３は記録ユニットとしてのキャリッジ４２に設けられ、キャリッジ４２は不図示のモーターにより用紙幅方向に往復駆動される。  
尚、プリンター１の前面右側にはインク収容部５（図１〜図４も参照）が設けられ、このインク収容部５から不図示のインクチューブを通って記録ヘッド４３へとインクが送られる。インク収容部５の上部はインク収容部カバー６によって開閉可能に設けられ、インク収容部カバー６を開くことでインク収容部５へのインクの補充を行うことができる。
【００３２】
記録ヘッド４３の下流側には排出ローラー対４５が設けられており、記録の行われた用紙は、排出ローラー対４５によって排出口８から装置前方側に排出される。  
装置前方側に排出される用紙は、排紙トレイ１０によって受けられる。  
排紙トレイ１０は、図３に示す様にトレイ本体１１と、展開トレイ１２とを備えて構成されているとともに、図１、図２、図４、図８に示す退避位置と、図３、図５〜図７に示す突出位置と、の間でスライド変位可能に設けられている。展開トレイ１２は、トレイ本体１１に対して回動可能に設けられ、開くことで図３に示す様に排出される用紙の飛び出しを防ぐストッパーとして機能する。  
尚、本実施形態において排紙トレイ１０は、ユーザーが引き出したり収納したりする構成であるが、例えばモーター等の動力を用いて自動でスライド動作する構成であっても良い。
【００３３】
次に、装置前面に設けられた操作パネル２７の内側には、「開閉体」としてのカバー１５が設けられている。カバー１５は、開閉可能であり、図２、図５、図６はカバー１５が閉じた状態を、図３、図７、図８はカバー１５が開いた状態を示している。カバー１５が開いた状態は、本実施形態では２形態あるが、それについては後に説明する。  
カバー１５は、開くことにより少なくとも全閉姿勢から水平方向にチルトした操作パネル２７の下側に、図３、図４に示す様にキャリッジ４２周囲の内部空間２５を露呈させ、閉じることにより図２に示すように内部空間２５を塞ぐ。内部空間２５は、本実施形態ではキャリッジ４２の往復動領域を含んでいる。また内部空間２５には、図５及び図６に示した搬送ローラー対４１から下流側の用紙搬送経路が含まれている。
【００３４】
上述したように、スキャナー部５０はねじを外さないと上方には開かないから、装置内部で紙ジャムが生じた場合は、操作パネル２７を開き且つカバー１５を開くことで、装置前方から内部空間２５へのアクセス経路を容易に確保し、これによりジャム処理を行うことができる。  
ここで、操作パネル２７は全閉姿勢から或る程度開くことでユーザーにとって操作し易い姿勢となる為、長期間そのままの姿勢にされる虞がある。操作パネル２７が或る程度開いた状態のまま長期間放置されると、装置内部へ塵埃が侵入し、装置の機能が損なわれる虞がある。その反面、操作パネル２７の内側を固定壁で形成すると、装置前面側から紙ジャム処理を行う際に充分な作業領域が確保できない。  
しかしながら、開閉可能なカバー１５を設けることで、カバー１５を閉じた状態では装置内部への塵埃等の侵入を抑制でき、また、カバー１５を開くことで装置内部へのアクセス性の向上を図ることができる。
【００３５】
尚、カバー１５は、操作パネル２７を上方向にチルトさせることで開閉可能となり、換言すれば操作パネル２７を上方向にチルトさせることで開閉可能な領域が確保されるが、本実施形態では少なくとも操作パネル２７のチルト動作に連動して開閉したりするものではなく、その意味で単独で開閉可能に設けられている。従って、操作パネル２７以外の構成要素と連動して開閉する様な構成を採用することは可能である。また、操作パネル２７をモーター等の動力で開閉可能に構成し、且つ、操作パネル２７及びカバー１５の開閉状態を検出するセンサーを設けた上で、例えば操作パネル２７が所定時間開いた状態でカバー１５が所定時間開いていたら、自動でカバー１５を閉じる様な構成としても良い。そのような構成においては、カバー１５は、操作パネル２７の状態に連動して開閉すると言うことができる。
【００３６】
本実施形態に係るカバー１５は、閉じた状態における下部に回動中心となる回転軸１５ａ（図７）を有し、閉じた状態における上部を自由端として装置前方側に開く構成である。図７において符号１５ｂはカバー１５の自由端である。これにより、逆の構成、即ち閉じた状態における上部に回動中心を有し、閉じた状態における下部を自由端として開く構成に比べて、装置内部にアクセスする際にカバー１５が邪魔になり難く、装置内部へのより容易なアクセスを実現できる。
【００３７】
また、本実施形態においてカバー１５は、図７、図３に示す様に水平よりも更に下方向に開く。これにより、装置内部にアクセスする際にカバー１５がより一層邪魔になり難く、装置内部へのより一層容易なアクセスを実現できる。
【００３８】
また、本実施形態ではカバー１５は、図７、図３示す様に開いた状態において、自由端１５ｂが排紙トレイ１０に支持される。これにより、開いた状態のカバー１５に外力Ｆが作用した際に排紙トレイ１０によってカバー１５を支持することができ、カバー１５の破損を抑制できる。  
尚、本実施形態では排紙トレイ１０が突出位置にある状態で、排紙トレイ１０を構成するトレイ本体１１に、カバー１５の自由端１５ｂが接触する様に構成されているが、カバー１５が開いた際に自由端１５ｂは必ずしも排紙トレイ１０に接触する必要は無く、自由端１５ｂと排紙トレイ１０との間にある程度の隙間が形成されていても良い。即ち、ある程度の隙間が形成されていても、外力Ｆが作用した際に、カバー１５の外れや破損が生じる前に、カバー１５の自由端１５ｂが排紙トレイ１０によって支持されれば良い。
【００３９】
また、カバー１５は、図７、図３示す開き形態の他、図８に示す開き形態を取りうる。即ち、排紙トレイ１０が退避位置にある際、カバー１５は、図８、図４に示される様に退避位置にある排紙トレイ１０の先端と、装置前面に露呈するフレーム９とに当接し、支持され、開放限度位置が規定される。これにより、図８に示す様に開いた状態のカバー１５に外力Ｆが作用した際に退避位置にある排紙トレイ１０とフレーム９（図４）によってカバー１５を支持することができ、カバー１５の外れや破損を抑制できる。尚、本実施形態では、排紙トレイ１０とフレーム９の双方でカバー１５を支持するが、いずれか一方のみで支持しても良い。
【００４０】
また、カバー１５は、図７、図３に示す様に開いた状態において、排紙トレイ１０に向けて排出される用紙の排出経路を塞ぐ。図７において線Ｔ２は、用紙の排出経路を示している。これにより、カバー１５が開いた状態をユーザーが気づき易く、カバー１５が開いた状態のまま放置されることを抑制でき、装置内部への塵埃等の侵入を抑制できる。  
尚、カバー１５が用紙排出経路Ｔ２を塞ぐとは、カバー１５が用紙排出経路Ｔ２を完全に塞ぐ形態に限られず、カバー１５が用紙排出経路Ｔ２に差し掛かり、排出される用紙に接触すれば良い意味である。
【００４１】
また、本実施形態では、図１１に示す様にカバー１５を閉じた状態にロックするロック手段１６を備える。ロック手段１６は、ロックピン１８と、ばね１７とを備えている。ロックピン１８は、図１０にも示される様にカバー１５の自由端１５ｂから突出しており、且つ、その突出量が変化する様に、カバー１５に対してスライド変位可能に設けられている。ばね１７は、ロックピン１８を突出方向に押圧する。  
図１１に示す様に、カバー１５が閉じた際にロックピン１８が係合可能な係合部５７ａが、スキャナー部５０を構成するフレーム５７に設けられており、カバー１５が閉じる際、ロックピン１８がばね１７の押圧力に抗して一旦引っ込み、その後突出することで図１１に示す様なロック状態となる。この様に、カバー１５を閉じた状態にロックするロック手段１６を備えるので、カバー１５の閉じた状態が確実に保持される。
【００４２】
また本実施形態では、図１１に示す様に、閉じた状態におけるカバー１５の自由端１５ｂは、装置奥行き方向においてスキャナー部５０と操作パネル２７とに挟まれた位置にあるので、カバー１５が意図せず開くことを防止できる。
【００４３】
尚、本実施形態に係るカバー１５は、図３、図４、図９、図１０に示される様に、手掛け部１５ｃを有する。本実施形態において手掛け部１５ｃは、カバー１５の自由端１５ｂにおいて、切り欠かれた形状を成している。この様にカバー１５は、手掛け部１５ｃを有するので、カバー１５を開閉する際の操作性が向上する。
【００４４】
尚、カバー１５が閉じた状態において、自由端１５ｂは、図９、図５に示される様に装置本体２を構成するフレーム５７と対向する。ここで、自由端１５ｂとフレーム５７との隙間１９がある程度確保されていないと、部品の製造誤差や組立誤差に起因して、自由端１５ｂがフレーム５７に当接してしまい、カバー１５が閉じない虞がある。従って隙間１９の寸法ｋが、ある程度確保されている。  
そして図９に示される様に、手掛け部１５ｃが自由端１５ｂに形成されることで隙間１９も手掛け部の領域として利用できることとなる。これにより、手掛け部１５ｃを形成する為の切り欠きの深さを最小限に留めることができ、装置本体内部への塵埃等の侵入を抑制することができる。  
尚、手掛け部１５ｃは切り欠き状に形成するのではなく、例えば手掛け様の突起や、引っ張り用の紐などをカバー１５の前面に設けても良い。この様にすることで、カバー１５に手掛け用の穴や切り欠きを設ける必要がなく、装置本体内部への塵埃等の侵入をより良好に抑制することができる。
【００４５】
本発明は上記において説明した実施形態に限定されることなく、特許請求の範囲に記載した発明の範囲内で、種々の変形が可能であり、それらも本発明の範囲内に含まれるものであることは言うまでもない。
【符号の説明】
【００４６】
１…インクジェットプリンター、２…装置本体、５…インク収容部、６…インク収容部カバー、８…排出口、９…フレーム、１０…排紙トレイ、１１…トレイ本体、１２…展開トレイ、１５…カバー、１５ａ…回転軸、１５ｂ…自由端、１５ｃ…手掛け部、１６…ロック手段、１７…ばね、１８…ロックピン、１９…隙間、２５…内部空間、２７…操作パネル、２７ａ…回転軸、２７ｂ…自由端、３０…戻しレバー、３１…回転軸、３２…給紙口、３３…給送ローラー、３４…ホッパー、３５…板状部、３６…リブ、３７…回路基板、３８…分離ローラー、３９…ローラーホルダー、３９ａ…回転軸、３９ｂ…ストッパー部、
３９ｃ…ばね掛け部、４０…ばね、４１…搬送ローラー対、４２…キャリッジ、４３…記録ヘッド、４４…用紙支持部、４５…排出ローラー対、５０…スキャナー部、５１…自動原稿搬送部、５２…給紙トレイ、５３…排紙トレイ、５４…上面カバー、５５…読取センサー、５６…読取ユニット、５７…フレーム、５７ａ…係合部
【図１】
2019181747.tif 000003
【図２】
2019181747.tif 000004
【図３】
2019181747.tif 000005
【図４】
2019181747.tif 000006
【図５】
2019181747.tif 000007
【図６】
2019181747.tif 000008
【図７】
2019181747.tif 000009
【図８】
2019181747.tif 000010
【図９】
2019181747.tif 000011
【図１０】
2019181747.tif 000012
【図１１】
2019181747.tif 000013
【図１２】
2019181747.tif 000014
【図１３】
2019181747.tif 000015
【図１４】
2019181747.tif 000016
【図１５】
2019181747.tif 000017
【図１６】
2019181747.tif 000018